(57)【要約】【課題】男性が立位姿勢で洋式便器使用する際に生じる飛散等による汚れを防止する汚れ防止マットを提供する【解決手段】任意の洋式便器前方周囲に設置される床マットと、床マットに剥離可能に取り付けられる剥離シートにより構成される。【選択図】    図１
2007090009.tif 000002
【特許請求の範囲】
【請求項１】
任意の洋式便器の前下部形状に近似した切り欠き部を有する床マットと、
該床マットの切り欠き部と同形状の切り欠き部を有し任意の洋式便器の前方及び左右床面近傍を覆う形状の吸水性シートと、該吸水シートの底面に分離可能に固定する剥離手段とよりなる剥離シートとより構成され、
前記剥離シートは床マットよりも小さな形状よりなるものである汚れ防止マット。
【請求項２】
複数枚の剥離シートが剥離可能に同位置に積載されたものであることを特徴とする請求項１記載の汚れ防止マット。
【請求項３】
吸水性シートが下方への漏水を防止するための防水手段を有するものであることを特徴とする請求項１又は２記載の汚れ防止マット。
【発明の詳細な説明】
【技術分野】
【０００１】  本発明は、男性が立位姿勢で洋式便器使用する際に生じる飛散等による汚れを防止する汚れ防止マットに関するものである。
【背景技術】
【０００２】  従来、トイレ用マットは繊維等からなり、汚れた場合洗濯をする必要性があった。
また、使い捨て用のトイレマットとして、吸湿性または吸水性のシートからなり単体で洋便器周囲の床に配置して使用するものがあった。
【特許文献１】  特開平０７−２１３４５８
【発明の開示】
【発明が解決しようとする課題】
【０００３】  そのために、次のような問題があった。
繊維等からなるトイレマットにおいては、汚れるたびに洗濯が必要であり、洗濯し乾かすのが面倒であった。また、トイレマットの汚れ現象を考察すると、様式便器近傍に集中し、近傍以外は汚れが少なく、近傍の汚れを無視して使用を続けていると、含浸した尿が汚れとして残り、洗濯で流しきれず非衛生的であった。そのため、近傍の汚れを基準に洗濯をするが、それでは回数が増え労力が増えていた。
使い捨て用のトイレマットにおいては、マット全体となるシートをいちいち交換する必要性があった。
本発明は以上の欠点を解決するものである。
【課題を解決するための手段】
【０００４】  任意の洋式便器の前下部形状に近似した切り欠き部を有する床マットと、
該床マットの切り欠き部と同形状の切り欠き部を有し任意の洋式便器の前方及び左右床面近傍を覆う形状の吸水性シートと、該吸水シートの底面に分離可能に固定する剥離手段とよりなる剥離シートとより構成され、
前記剥離シートは床マットよりも小さな形状となるように構成される。【０００５】  複数枚の剥離シートが剥離可能に同位置に積載されたものであることを特徴とする。【０００６】  吸水性シートが下方への漏水を防止するための防水手段を有するものであることを特徴とする。
【発明の効果】
【０００７】  本発明を使用することで、男性が立位姿勢における排尿時に、便器や便器内蓄水部から飛び跳ねた尿がトイレ近傍を汚すことを剥離シートが局所的を効率的に保護することができる。
剥離シートは汚れたらシートをはがすことで、その部分の汚れを取り除くことができ、床マットを従来より長時間清潔に利用することができる。
剥離シートを複数枚積載したものにおいては、より長時間の利用が可能となる。
吸水性シートに防水手段を有するものにおいては、最上位の吸水性シートの下に位置する吸水性シートあるいは床マットに尿が漏水しないために、より衛生的に、長時間使用することができる。
【発明を実施するための最良の形態】
【０００８】  以下、本発明の第一実施の形態について図１から図７を用いて説明する。
図１は本発明の分解斜視図、図２は本発明の斜視図、図３は本発明の平面図、図４は本発明の分解底面図、図５は本発明の説明断面図、図６は本発明の使用状態における平面図、図７は本発明の使用説明図である。
本発明は、図１に示すように床マット１と剥離シート層６とより構成される。
床マット１は、洋式便器前下部形状に近似した切り欠き部１１を有する形状よりなり、上部がシート状のマット本体９となっており、下部が同形状の防滑層１０から構成されている。
マット本体９は吸湿性の繊維などからなるものが望ましい。また、防滑層７は全面がシート状であってもよいが、格子状のゴム等、従来利用される任意の防滑手段であればよい。
剥離シート層６は複数枚の同形状の剥離シート２より構成される。
剥離シート２は前記床マット１の切り欠き１１と同形状の切り欠き５を有するものであり、図１〜図４に示すように床マット１よりも小さな大きさで、洋式便器下部周辺近傍を覆うものである。
剥離シート２は図５に示すように、上部が吸水シート３となっており、下部が防水層７となっている。この際、防水層７としては防水フィルムや防水材による層構造など、従来利用できる防水構造であればよい。
また、図４に示すように防滑層７の下部には粘着層４が設けられている。図に示す事例においては、切り欠き部５の両端部に位置する辺部位に粘着層４ａが設けられており、他方端部付近に隙間を空けて粘着層４ｂがつまみ部８を形成するように設けられている。
図５は切り欠き部にかからない位置で切断した際の断面図であるが、図に示すように剥離シート２は、床マット１の上に粘着層４によりまず固定され、剥離シート２の上に順次剥離シート２が積載されている。
なお、図においては剥離層６として複数枚の剥離シート２が順次積載されているが、これに関しては剥離シート２が１枚だけの単層であってもよい。
本発明は以上の構成よりなる。
以下、使用方法について説明する。
本発明を使用するときは、図６及び図７に示すように洋式便器１２の手前に床マット１を敷く。この際、床マット１ならびに剥離シート層６の切り欠き部は洋式便器前下部にできるだけ密着するようにする。
本発明を敷いた状態で男性が立位姿勢で排尿した場合、跳ね返った尿は洋式便器近傍に飛散するが、この飛散した尿は最上位の剥離シート２の吸水シート３により吸水される。この際、剥離シート２が適度な大きさであれば床マット１には殆ど尿は飛散せず、衛生的な状態を維持することができる。
また、飛散せず便器をつたう尿に関しても、剥離シート２が洋式便器２の下部に密着しているため吸水シート２により吸収される。
したがって、床マット１を極力汚すことなく剥離シート２のみで尿を吸収することが可能となる。また、吸水シート３の下には防水層７が設けられているので、下部に位置する剥離シート２や床マット１を汚すことがない。
最上位の剥離シート２の汚れが一定以上になった場合、図７に示すように最上位の剥離シートを剥がし、以下同様に使用する。剥離にあたり、剥離シート２の手前辺部が開放状態となったつまみ部８となっているため、この部位をつまむことで簡単につまみ剥がすことができる。
全ての剥離シート２が無くなった場合には、同様の剥離シート層６を新たに取り付けて同様に使用してもよいし、床マット１を単体として、従来のマットと同様に洗濯により再使用してもよい。【０００９】  以下、本発明の第二実施の形態について図８乃至図１０を用いて説明する。
図８は本発明のその他事例に関する底面分解図、図９は本発明のその他事例に関する底面図、図１０は本発明のその他事例に関する使用状態面である。
本発明は第一実施の形態と同様に床マット１と剥離シート層６とにより構成される。
本事例における剥離シート２は、図８及び図９に示すように前記事例の切り欠き部５から内側に延設された形状よりなり、切り欠き部５と同位置に折り曲げ部１３が設けられており、複数の切り込み１４が設けられている。この切り込み１４により複数の折り返し片１５が形成される。
床マット１は、マット本体９の下部に粘着層４が設けられたものである。粘着層としては、マット本体９の切り欠き部１１の角部に粘着層４ｃが左右に設けられており、手前辺下部左右に粘着層４ｄが設けられたものである。また、前記事例のようにマット本体９の下部に防滑層にもなるとともに防水層となるような層を設けたうえで、粘着層を設けたものであってもよい。
本発明は以上の構成よりなる。
以下、本発明の実施の形態について説明する。
本発明を設置するにあたり、床マット１の切り欠き部１１を洋式便器下部に密着するように粘着層４ｃを洋式便器１２に密接する床位置に固定してもよいし、洋式便器下部に直接貼ってもよい。
この際、図１０に示すように折り曲げ部１３により折り返し片１５が洋式便器に沿って立ち上がる。これにより、便器をつたう尿を床により確実に吸収することができる。
その他、使用方法や作用に関しては、上記事例と同様である。
【図面の簡単な説明】
【００１０】
【００１１】
【図１】  本発明の分解斜視図
【図２】  本発明の斜視図
【図３】  本発明の平面図
【図４】  本発明の分解底面図
【図５】  本発明の説明断面図
【図６】  本発明の使用状態における平面図
【図７】  本発明の使用説明図
【図８】  本発明のその他事例に関する底面分解図
【図９】  本発明のその他事例に関する底面図
【図１０】  本発明のその他事例に関する使用状態面
【符号の説明】
【００１２】１  床マット、
２  剥離シート、
３  吸水シート、
４；４ａ；４ｂ；４ｃ；４ｄ  粘着層、
５  切り欠き部、
６  剥離シート層、
７  防水層、
８  つまみ部、
９  マット本体、
１０  防滑層、
１１  切り欠き部、
１２  洋式便器、
１３  折り曲げ部、
１４  切り込み、
１５  折り返し片
【図１】
2007090009.tif 000003
【図２】
2007090009.tif 000004
【図３】
2007090009.tif 000005
【図４】
2007090009.tif 000006
【図５】
2007090009.tif 000007
【図６】
2007090009.tif 000008
【図７】
2007090009.tif 000009
【図８】
2007090009.tif 000010
【図９】
2007090009.tif 000011
【図１０】
2007090009.tif 000012